【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
標準繊維および１以上の識別繊維を含み；
標準繊維がセルロースアセテートを含み；
識別繊維のそれぞれは少なくとも１つの別個の特徴を示し；
識別繊維は１以上の標付繊維を含み；
標付繊維は１以上のタガント表面マーキングを含む別個の特徴を示し；
タガント表面マーキングは標付繊維の長さに沿って繰り返しパターンを形成し；
繰り返しパターンの長さが５ｍｍ〜２００ｍｍの範囲であり；
繰り返しパターンは繊維又は標準繊維の少なくとも１つのサプライチェーン要素を表す繊維。
【請求項２】
繰り返しパターンが、英数字コード、デジタルコード、アナログコード、又は表意文字コードを含む、請求項１に記載の繊維。
【請求項３】
繰り返しパターンがメタデータを含む、請求項２に記載の繊維。
【請求項４】
メタデータが、読み取り開始位置、読み取り終了位置、又は読み取り方向を含む、請求項３に記載の繊維。
【請求項５】
繰り返しパターンがデジタルコードを含み、デジタルコードはバイナリーコードを含む、請求項２〜４のいずれかに記載の繊維。
【請求項６】
バイナリーコードにおける桁数が４〜１００の範囲である、請求項５に記載の繊維。
【請求項７】
繰り返しパターンが実質的に一次元である、請求項１〜６のいずれかに記載の繊維。
【請求項８】
繰り返しパターンが標付繊維の上に印刷されている、請求項１〜７のいずれかに記載の繊維。
【請求項９】
繰り返しパターンが、浮き出し印刷又は形態変化によって標付繊維の上に与えられている、請求項１〜７のいずれかに記載の繊維。
【請求項１０】
標付繊維がアセトン又は塩化メチレン中に実質的に不溶である、請求項１〜９のいずれかに記載の繊維。
【請求項１１】
標付繊維がトリアセチンとの溶剤結合を実質的に起こさない、請求項１〜１０のいずれかに記載の繊維。
【請求項１２】
標付繊維が、アクリル、モダクリル、アラミド、ナイロン、ポリエステル、ポリプロピレン、レイヨン、ポリアクリロニトリル、ポリエチレン、セルローストリアセテート、又はＰＴＦＥを含む、請求項１〜１１のいずれかに記載の繊維。
【請求項１３】
請求項１〜１２のいずれかに記載の繊維を含む物品。
【請求項１４】
フィルター（好ましくはフィルターロッド又は紙巻きタバコフィルター）、並びに布帛及び他の編織製品、不織布、並びに吸収材製品からなる群から選択される、請求項１３に記載の物品。
【請求項１５】
アセテートトウバンド、又はアセテートトウバンドを含むフィルター（好ましくはフィルターロッド又は紙巻きタバコフィルター）である、請求項１３に記載の物品。
【請求項１６】
繰り返しパターンが、アセテートトウバンドの製造者、アセテートトウバンドの製造場所、アセテートトウバンドの製造ライン、アセテートトウバンドの製造ラン、アセテートトウバンドの製造日、アセテートトウバンドの梱包、アセテートトウバンドの倉庫、アセテートトウバンドの取引先、又はアセテートトウバンドの納入先を含む少なくとも１つのサプライチェーン要素を表す、請求項１５に記載の物品。
【請求項１７】
請求項１５又は１６に記載のアセテートトウバンドの製造方法であって、
（ａ）識別繊維を入手し；
（ｂ）第１の繊維製造プロセスで標準繊維を製造し；そして
（ｃ）識別繊維と標準繊維を結合してアセテートトウバンドにする；
ことを含む上記方法。
【請求項１８】
標付繊維を含む識別繊維を入手することが、
（ｉ）第２の繊維製造プロセスで識別繊維の一部を製造し、次にタガント表面マーキングを繰り返しパターンで識別繊維に施して標付繊維の一部を製造すること；
（ｉｉ）識別繊維の一部を第三者から受取り、次にタガント表面マーキングを繰り返しパターンで識別繊維に施して標付繊維の一部を製造すること；或いは
（ｉｉｉ）標付繊維の一部を第三者から受け取ること；
の少なくとも１つを含む、請求項１７に記載の方法。
【請求項１９】
タガント表面マーキングを繰り返しパターンで施すことが、浮き出し印刷、印刷、又は形態変化を含む、請求項１８に記載の方法。
【請求項２０】
施すことが、標準繊維を製造するのと同時に、標付繊維の上にタガント表面マーキングを繰り返しパターンで印刷又はレーザー浮き出し印刷し、アセテートトウバンドを捲縮する前に標付繊維と標準繊維を結合することを含む、請求項１８に記載の方法。
【請求項２１】
繊維試料を特徴付ける方法であって、繊維試料は請求項１〜１２のいずれかに記載の繊維又は請求項１３〜１６のいずれかに記載の物品を含み；
（１）繊維試料から標付繊維を分離し；
（２）画像技術を標付繊維に適用し；
（３）タガント表面マーキングの繰り返しパターンを測定する；
ことを含む上記方法。
【請求項２２】
分離することが、繊維試料を溶剤中に配置して、繊維試料の溶解部分及び標付繊維を含む溶液を形成し、溶液から標付繊維を取り出すことを含む、請求項２１に記載の方法。
【請求項２３】
画像技術が、人間の目視検査、顕微鏡検査、電子顕微鏡検査、共焦点顕微鏡検査、及び光学スキャンからなる群から選択される、請求項２１又は２２に記載の方法。
【請求項２４】
タガント表面マーキングの繰り返しパターンを、製造に特異のタガントを含むデーターベースに相関させて少なくとも１つのサプライチェーン要素を求めることを更に含み、少なくとも１つのサプライチェーン要素は、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先を含む、請求項２１〜２３のいずれかに記載の方法。
【請求項２５】
繊維試料がフィルターの一部を含み、フィルターはアセテートトウバンドを含み、タガント表面マーキングの繰り返しパターンを、製造に特異のタガントを含むデーターベースに相関させることを更に含み、少なくとも１つのサプライチェーン要素はアセテートトウバンドの梱包を含む、請求項２４に記載の方法。
【手続補正２】
【補正対象書類名】明細書
【補正対象項目名】０１７１
【補正方法】変更
【補正の内容】
【０１７１】
[00203]他の態様は、本明細書及びここに開示した複数の態様の実施を考察することによって当業者に明らかになるであろう。開示する態様の精神及び範囲内で変更及び修正を行うことができることが理解される。更に、明細書及び実施例は例示のみとしてみなされ、開示する態様の真の範囲及び精神は特許請求の範囲によって示されることが意図される。
本発明は以下の実施態様を含む。
（１）１以上の識別繊維を含み；
識別繊維のそれぞれは少なくとも１つの別個の特徴を示し；
識別繊維は１以上の標付繊維を含み；
標付繊維は１以上のタガント表面マーキングを含む別個の特徴を示し；
タガント表面マーキングは標付繊維の長さに沿って繰り返しパターンを形成し；
繰り返しパターンは繊維のコードを表す繊維。
（２）標準繊維を更に含み、コードは繊維又は標準繊維の少なくとも１つのサプライチェーン要素を表す、（１）に記載の繊維。
（３）繰り返しパターンが、英数字コード、デジタルコード、アナログコード、又は表意文字コードを含む、（１）又は（２）のいずれかに記載の繊維。
（４）繰り返しパターンがメタデータを含む、（３）に記載の繊維。
（５）メタデータが、読み取り開始位置、読み取り終了位置、又は読み取り方向を含む、（４）に記載の繊維。
（６）繰り返しパターンがデジタルコードを含み、デジタルコードはバイナリーコードを含む、（３）〜（５）のいずれかに記載の繊維。
（７）バイナリーコードにおける桁数が４〜１００の範囲である、（６）に記載の繊維。
（８）繰り返しパターンの長さが５ｍｍ〜２００ｍｍの範囲である、（１）〜（７）のいずれかに記載の繊維。
（９）繰り返しパターンが実質的に一次元である、（１）〜（８）のいずれかに記載の繊維。
（１０）繰り返しパターンが標付繊維の上に印刷されている、（１）〜（９）のいずれかに記載の繊維。
（１１）繰り返しパターンが、浮き出し印刷又は形態変化によって標付繊維の上に与えられている、（１）〜（９）のいずれかに記載の繊維。
（１２）標準繊維がセルロースアセテートを含む、（２）〜（１１）のいずれかに記載の繊維。
（１３）標付繊維が溶剤中に実質的に不溶であり、標準繊維は溶剤中に可溶である、（２）〜（１１）のいずれかに記載の繊維。
（１４）標付繊維がアセトン又は塩化メチレン中に実質的に不溶である、（１２）又は（１３）のいずれかに記載の繊維。
（１５）標付繊維がトリアセチンとの溶剤結合を実質的に起こさない、（１２）〜（１４）のいずれかに記載の繊維。
（１６）標付繊維が、アクリル、モダクリル、アラミド、ナイロン、ポリエステル、ポリプロピレン、レイヨン、ポリアクリロニトリル、ポリエチレン、セルローストリアセテート、又はＰＴＦＥを含む、（１）〜（１５）のいずれかに記載の繊維。
（１７）（１）〜（１６）のいずれかに記載の繊維を含む物品。
（１８）フィルター（好ましくはフィルターロッド又は紙巻きタバコフィルター）、並びに布帛及び他の編織製品、不織布、並びに吸収材製品からなる群から選択される、（１３）に記載の物品。
（１９）アセテートトウバンド、又はアセテートトウバンドを含むフィルター（好ましくはフィルターロッド又は紙巻きタバコフィルター）である、（１７）に記載の物品。
（２０）繰り返しパターンが、アセテートトウバンドの製造者、アセテートトウバンドの製造場所、アセテートトウバンドの製造ライン、アセテートトウバンドの製造ラン、アセテートトウバンドの製造日、アセテートトウバンドの梱包、アセテートトウバンドの倉庫、アセテートトウバンドの取引先、又はアセテートトウバンドの納入先を含む少なくとも１つのサプライチェーン要素を表す、（１９）に記載の物品。
（２１）（１９）又は（２０）のいずれかに記載のアセテートトウバンドの製造方法であって、
（ａ）識別繊維を入手し；
（ｂ）第１の繊維製造プロセスで標準繊維を製造し；そして
（ｃ）識別繊維と標準繊維を結合してアセテートトウバンドにする；
ことを含む上記方法。
（２２）標付繊維を含む識別繊維を入手することが、
（ｉ）第２の繊維製造プロセスで識別繊維の一部を製造し、次にタガント表面マーキングを繰り返しパターンで識別繊維に施して標付繊維の一部を製造すること；
（ｉｉ）識別繊維の一部を第三者から受取り、次にタガント表面マーキングを繰り返しパターンで識別繊維に施して標付繊維の一部を製造すること；或いは
（ｉｉｉ）標付繊維の一部を第三者から受け取ること；
の少なくとも１つを含む、（２１）に記載の方法。
（２３）タガント表面マーキングを繰り返しパターンで施すことが、浮き出し印刷、印刷、又は形態変化を含む、（２２）に記載の方法。
（２４）施すことが、標準繊維を製造するのと同時に、標付繊維の上にタガント表面マーキングを繰り返しパターンで印刷又はレーザー浮き出し印刷し、アセテートトウバンドを捲縮する前に標付繊維と標準繊維を結合することを含む、（２２）に記載の方法。
（２５）繊維試料を特徴付ける方法であって、繊維試料は（１）〜（１６）のいずれかに記載の繊維又は（１７）〜（２０）のいずれかに記載の物品を含み；
（１）繊維試料から標付繊維を分離し；
（２）画像技術を標付繊維に適用し；
（３）タガント表面マーキングの繰り返しパターンを測定する；
ことを含む上記方法。
（２６）分離することが、繊維試料を溶剤中に配置して、繊維試料の溶解部分及び標付繊維を含む溶液を形成し、溶液から標付繊維を取り出すことを含む、（２５）に記載の方法。
（２７）画像技術が、人間の目視検査、顕微鏡検査、電子顕微鏡検査、共焦点顕微鏡検査、及び光学スキャンからなる群から選択される、（２５）〜（２６）のいずれかに記載の方法。
（２８）タガント表面マーキングの繰り返しパターンを、製造に特異のタガントを含むデーターベースに相関させて少なくとも１つのサプライチェーン要素を求めることを更に含み、少なくとも１つのサプライチェーン要素は、標準繊維の製造者、標準繊維の製造場所、標準繊維の製造ライン、標準繊維の製造ラン、標準繊維の製造日、標準繊維の包装、標準繊維の倉庫、標準繊維の取引先、標準繊維の納入先、繊維を含む繊維バンドの製造者、繊維バンドの製造場所、繊維バンドの製造ライン、繊維バンドの製造ラン、繊維バンドの製造日、繊維バンドの包装、繊維バンドの倉庫、繊維バンドの取引先、繊維バンドの納入先、繊維を含む物品の製造者、物品の製造場所、物品の製造ライン、物品の製造ラン、物品の製造日、物品の包装、物品の倉庫、物品の取引先、又は物品の納入先を含む、（２５）〜（２７）のいずれかに記載の方法。
（２９）繊維試料がフィルターの一部を含み、フィルターはアセテートトウバンドを含み、タガント表面マーキングの繰り返しパターンを、製造に特異のタガントを含むデーターベースに相関させることを更に含み、少なくとも１つのサプライチェーン要素はアセテートトウバンドの梱包を含む、（２８）に記載の方法。